(57)【要約】【課題】  携帯端末へのデータ配信時に携帯端末が使用する無線ネットワークへの負荷集中を回避可能な配信サーバを提供する。【解決手段】  位置情報取得手段１２は配信対象管理手段１１で管理される携帯端末の情報に基づいてそれら携帯端末の位置情報を取得する。位置グループ分類手段１３は位置情報取得手段１２で作成された位置情報付き配信対象情報を基に携帯端末を位置グループに分類する。配信グループ形成手段１５は位置グループ分類手段１３で分類された位置グループの情報と局容量管理手段１４で管理される局配信性能データとから配信グループを形成する。配信スケジュール管理手段１６は予め設定された時間帯において、配信グループ形成手段１５で形成された配信グループの情報に基づいて、配信グループ毎に予め設定された配信間隔でデータ配信が行われるように管理する。【選択図】      図１
2006246090.tif 000002
【特許請求の範囲】
【請求項１】
複数の基地局に１対１の無線通信にて接続される複数の携帯端末に配信サーバからデータ配信を行うデータ配信システムであって、
前記配信サーバは、配信対象の携帯端末の位置情報を取得する取得手段と、前記取得手段が取得した位置情報に基づいて前記配信対象の携帯端末を複数の配信グループに分割する分割手段と、前記分割手段で分割された前記複数の配信グループ毎に予め設定された一定時間内に複数回に分けてデータ配信を行うよう管理する管理手段とを有することを特徴とするデータ配信システム。
【請求項２】
前記取得手段は、予め登録された前記配信対象の携帯端末の情報に基づいて前記配信対象の携帯端末の位置情報を取得することを特徴とする請求項１記載のデータ配信システム。
【請求項３】
前記取得手段で取得された位置情報に応じて前記配信対象の携帯端末を位置グループに分類する分類手段を含み、
前記分割手段は、前記位置グループ内の携帯端末へのデータ配信が分散するように前記配信対象の携帯端末を前記複数の配信グループに分割することを特徴とする請求項１または請求項２記載のデータ配信システム。
【請求項４】
前記取得手段にて前記位置情報が取得不可の携帯端末を前記配信対象から外すことを特徴とする請求項１から請求項３のいずれか記載のデータ配信システム。
【請求項５】
前記分割手段は、前記携帯端末に対してデータ通信を提供する交換局及び基地局における前記データ配信の許容量に基づいて前記配信対象の携帯端末を前記複数の配信グループに分割することを特徴とする請求項１から請求項４のいずれか記載のデータ配信システム。
【請求項６】
前記複数の配信グループ毎のデータ配信を予め設定された一定時間内に行うためのスケジュールに基づいて前記データ配信を順次行うことを特徴とする請求項１から請求項５のいずれか記載のデータ配信システム。
【請求項７】
前記配信グループ毎にその配信するデータサイズを計算し、計算されたデータサイズが前記交換局及び基地局における前記データ配信の許容量を越えた時に当該配信グループの携帯端末を分割して新たな配信グループを形成することを特徴とする請求項１から請求項６のいずれか記載のデータ配信システム。
【請求項８】
複数の基地局に１対１の無線通信にて接続される複数の携帯端末にデータ配信を行う配信サーバであって、
配信対象の携帯端末の位置情報を取得する取得手段と、前記取得手段が取得した位置情報に基づいて前記配信対象の携帯端末を複数の配信グループに分割する分割手段と、前記分割手段で分割された前記複数の配信グループ毎に予め設定された一定時間内に複数回に分けてデータ配信を行うよう管理する管理手段とを有することを特徴とする配信サーバ。
【請求項９】
前記取得手段は、予め登録された前記配信対象の携帯端末の情報に基づいて前記配信対象の携帯端末の位置情報を取得することを特徴とする請求項８記載の配信サーバ。
【請求項１０】
前記取得手段で取得された位置情報に応じて前記配信対象の携帯端末を位置グループに分類する分類手段を含み、
前記分割手段は、前記位置グループ内の携帯端末へのデータ配信が分散するように前記配信対象の携帯端末を前記複数の配信グループに分割することを特徴とする請求項８または請求項９記載の配信サーバ。
【請求項１１】
前記取得手段にて前記位置情報が取得不可の携帯端末を前記配信対象から外すことを特徴とする請求項８から請求項１０のいずれか記載の配信サーバ。
【請求項１２】
前記分割手段は、前記携帯端末に対してデータ通信を提供する交換局及び基地局における前記データ配信の許容量に基づいて前記配信対象の携帯端末を前記複数の配信グループに分割することを特徴とする請求項８から請求項１１のいずれか記載の配信サーバ。
【請求項１３】
前記複数の配信グループ毎のデータ配信を予め設定された一定時間内に行うためのスケジュールに基づいて前記データ配信を順次行うことを特徴とする請求項８から請求項１２のいずれか記載の配信サーバ。
【請求項１４】
前記配信グループ毎にその配信するデータサイズを計算し、計算されたデータサイズが前記交換局及び基地局における前記データ配信の許容量を越えた時に当該配信グループの携帯端末を分割して新たな配信グループを形成することを特徴とする請求項８から請求項１３のいずれか記載の配信サーバ。
【請求項１５】
複数の基地局に１対１の無線通信にて接続される複数の携帯端末にデータ配信を行う配信サーバに用いられるスケジュール装置であって、
配信対象の携帯端末の位置情報を取得する取得手段と、前記取得手段が取得した位置情報に基づいて前記配信対象の携帯端末を複数の配信グループに分割する分割手段と、前記分割手段で分割された前記複数の配信グループ毎に予め設定された一定時間内に複数回に分けてデータ配信を行うよう管理する管理手段とを有することを特徴とするスケジュール装置。
【請求項１６】
前記取得手段は、予め登録された前記配信対象の携帯端末の情報に基づいて前記配信対象の携帯端末の位置情報を取得することを特徴とする請求項１５記載のスケジュール装置。
【請求項１７】
前記取得手段で取得された位置情報に応じて前記配信対象の携帯端末を位置グループに分類する分類手段を含み、
前記分割手段は、前記位置グループ内の携帯端末へのデータ配信が分散するように前記配信対象の携帯端末を前記複数の配信グループに分割することを特徴とする請求項１５または請求項１６記載のスケジュール装置。
【請求項１８】
前記取得手段にて前記位置情報が取得不可の携帯端末を前記配信対象から外すことを特徴とする請求項１５から請求項１７のいずれか記載のスケジュール装置。
【請求項１９】
前記分割手段は、前記携帯端末に対してデータ通信を提供する交換局及び基地局における前記データ配信の許容量に基づいて前記配信対象の携帯端末を前記複数の配信グループに分割することを特徴とする請求項１５から請求項１８のいずれか記載のスケジュール装置。
【請求項２０】
前記複数の配信グループ毎のデータ配信を予め設定された一定時間内に行うためのスケジュールに基づいて前記データ配信を順次行うことを特徴とする請求項１５から請求項１９のいずれか記載のスケジュール装置。
【請求項２１】
前記配信グループ毎にその配信するデータサイズを計算し、計算されたデータサイズが前記交換局及び基地局における前記データ配信の許容量を越えた時に当該配信グループの携帯端末を分割して新たな配信グループを形成することを特徴とする請求項１５から請求項２０のいずれか記載のスケジュール装置。
【請求項２２】
複数の基地局に１対１の無線通信にて接続される複数の携帯端末に配信サーバからデータ配信を行うデータ配信システムに用いられるデータ配信方法であって、前記配信サーバが、配信対象の携帯端末の位置情報を取得する処理と、その取得した位置情報に基づいて前記配信対象の携帯端末を複数の配信グループに分割する処理と、その分割された前記複数の配信グループ毎に予め設定された一定時間内に複数回に分けてデータ配信を行うよう管理する処理とを実行することを特徴とするデータ配信方法。
【請求項２３】
前記位置情報を取得する処理は、予め登録された前記配信対象の携帯端末の情報に基づいて前記配信対象の携帯端末の位置情報を取得することを特徴とする請求項２２記載のデータ配信方法。
【請求項２４】
前記配信サーバが、前記位置情報を取得する処理で取得された位置情報に応じて前記配信対象の携帯端末を位置グループに分類する処理を実行し、
前記複数の配信グループに分割する処理は、前記位置グループ内の携帯端末へのデータ配信が分散するように前記配信対象の携帯端末を前記複数の配信グループに分割することを特徴とする請求項２２または請求項２３記載のデータ配信方法。
【請求項２５】
前記位置情報を取得する処理にて前記位置情報が取得不可の携帯端末を前記配信対象から外すことを特徴とする請求項２２から請求項２４のいずれか記載のデータ配信方法。
【請求項２６】
前記複数の配信グループに分割する処理は、前記携帯端末に対してデータ通信を提供する交換局及び基地局における前記データ配信の許容量に基づいて前記配信対象の携帯端末を前記複数の配信グループに分割することを特徴とする請求項２２から請求項２５のいずれか記載のデータ配信方法。
【請求項２７】
前記複数の配信グループ毎のデータ配信を予め設定された一定時間内に行うためのスケジュールに基づいて前記データ配信を順次行うことを特徴とする請求項２２から請求項２６のいずれか記載のデータ配信方法。
【請求項２８】
前記配信グループ毎にその配信するデータサイズを計算し、計算されたデータサイズが前記交換局及び基地局における前記データ配信の許容量を越えた時に当該配信グループの携帯端末を分割して新たな配信グループを形成することを特徴とする請求項２２から請求項２７のいずれか記載のデータ配信方法。
【請求項２９】
複数の基地局に１対１の無線通信にて接続される複数の携帯端末に配信サーバからデータ配信を行うデータ配信システムに用いられるデータ配信方法のプログラムであって、コンピュータに、配信対象の携帯端末の位置情報を取得する処理と、その取得した位置情報に基づいて前記配信対象の携帯端末を複数の配信グループに分割する処理と、その分割された前記複数の配信グループ毎に予め設定された一定時間内に複数回に分けてデータ配信を行うよう管理する処理とを実行させるためのプログラム。
【発明の詳細な説明】
【技術分野】
【０００１】
本発明はデータ配信システム、配信サーバ、スケジューリング装置及びそれらに用いるデータ配信方法並びにそのプログラムに関し、特に移動通信方式を用いて基地局との１対１通信を行う携帯端末へのデータ配信の方法に関する。
【背景技術】
【０００２】
近年、携帯電話機を代表とする携帯端末においては、通話のみならず、移動通信網を介したデータ通信も行われるようになってきている。このデータ通信の内容としては、携帯端末上で動作させるプログラムや楽曲データ等が上げられる。
【０００３】
しかしながら、携帯電話システムを構成する交換局や基地局において、それぞれデータ通信を行う回線容量には制限があり、一度に制限以上のデータを伝送することはできない。
【０００４】
従来、携帯電話システムにおいて、多数の携帯電話機に対して一定時間内にデータを配信する場合には、配信システムの配信能力と携帯電話システムのデータ伝送能力とによる制限から、同時配信の対象となる携帯電話機が一定数以下となるように複数の配信グループに分割し、その配信グループ毎に順次一斉配信を行うことで、携帯電話システムに対する負荷分散を行っている。
【０００５】
尚、携帯端末へのデータ配信方法としては、携帯端末の移動可能な経路毎（交換局毎）にコンテンツ蓄積装置を配置し、予測した携帯端末の経路上に配置されたコンテンツ蓄積装置から携帯端末へのデータ配信を行う方法も提案されている（例えば、特許文献１参照）。
【０００６】
【特許文献１】特開２００３−１３４５４５号公報
【発明の開示】
【発明が解決しようとする課題】
【０００７】
しかしながら、上述した従来の携帯電話システムでは、配信サーバ毎に配信グループを形成し、順次一斉配信を行うことで負荷分散を行っており、携帯電話機の所在位置にかかわらず、配信グループを形成しているため、配信グループによっては対象となる携帯電話機の所在地が地理的に偏ることがあり、効率よく配信処理を行って、ネットワークにおける負荷集中を回避することができないという問題がある。また、ネットワークの増設に応じて、配信サーバも増設する必要がある。ここで、携帯電話機の所在地の地理的な偏りとは、例えば行楽地や演奏会場等にユーザが集中する場合、あるいは住宅地に帰宅しているユーザやホテルに滞在するユーザ等への夜間配信を行う場合が考えられる。尚、上記の特許文献１の技術では、この問題を解決することはできない。
【０００８】
そこで、本発明の目的は上記の問題点を解消し、携帯端末へのデータ配信時に携帯端末が使用する無線ネットワークへの負荷集中を回避することができるデータ配信システム、配信サーバ、スケジューリング装置及びそれらに用いるデータ配信方法並びにそのプログラムを提供することにある。
【課題を解決するための手段】
【０００９】
本発明によるデータ配信システムは、複数の基地局に１対１の無線通信にて接続される複数の携帯端末に配信サーバからデータ配信を行うデータ配信システムであって、
前記配信サーバは、配信対象の携帯端末の位置情報を取得する取得手段と、前記取得手段が取得した位置情報に基づいて前記配信対象の携帯端末を複数の配信グループに分割する分割手段と、前記分割手段で分割された前記複数の配信グループ毎に予め設定された一定時間内に複数回に分けてデータ配信を行うよう管理する管理手段とを備えている。
【００１０】
本発明による配信サーバは、複数の基地局に１対１の無線通信にて接続される複数の携帯端末にデータ配信を行う配信サーバであって、
配信対象の携帯端末の位置情報を取得する取得手段と、前記取得手段が取得した位置情報に基づいて前記配信対象の携帯端末を複数の配信グループに分割する分割手段と、前記分割手段で分割された前記複数の配信グループ毎に予め設定された一定時間内に複数回に分けてデータ配信を行うよう管理する管理手段とを備えている。
【００１１】
本発明によるスケジューリング装置は、複数の基地局に１対１の無線通信にて接続される複数の携帯端末にデータ配信を行う配信サーバに用いられるスケジュール装置であって、
配信対象の携帯端末の位置情報を取得する取得手段と、前記取得手段が取得した位置情報に基づいて前記配信対象の携帯端末を複数の配信グループに分割する分割手段と、前記分割手段で分割された前記複数の配信グループ毎に予め設定された一定時間内に複数回に分けてデータ配信を行うよう管理する管理手段とを備えている。
【００１２】
本発明によるデータ配信方法は、複数の基地局に１対１の無線通信にて接続される複数の携帯端末に配信サーバからデータ配信を行うデータ配信システムに用いられるデータ配信方法であって、前記配信サーバが、配信対象の携帯端末の位置情報を取得する処理と、その取得した位置情報に基づいて前記配信対象の携帯端末を複数の配信グループに分割する処理と、その分割された前記複数の配信グループ毎に予め設定された一定時間内に複数回に分けてデータ配信を行うよう管理する処理とを実行している。
【００１３】
本発明によるデータ配信方法のプログラムは、複数の基地局に１対１の無線通信にて接続される複数の携帯端末に配信サーバからデータ配信を行うデータ配信システムに用いられるデータ配信方法のプログラムであって、コンピュータに、配信対象の携帯端末の位置情報を取得する処理と、その取得した位置情報に基づいて前記配信対象の携帯端末を複数の配信グループに分割する処理と、その分割された前記複数の配信グループ毎に予め設定された一定時間内に複数回に分けてデータ配信を行うよう管理する処理とを実行させている。
【００１４】
すなわち、本発明のデータ配信システムは、多数の携帯端末に対してデータ配信を行うシステムにおいて、携帯端末の位置情報を用いて、データの同時配信の対象となる携帯端末が同じ地域に集中しないようにデータ配信のスケジューリングを行うことで、無線ネットワークの特定機器に負荷が集中することを回避し、効率的なデータ配信を実現することを特徴とする。
【００１５】
より具体的に説明すると、本発明のデータ配信システムでは、携帯端末が移動通信方式を用いて基地局との１対１通信を行う携帯電話システムにおいて、データの配信対象となる携帯端末の情報を管理する配信対象管理手段と、携帯端末の情報に基づいて配信対象となる携帯端末の位置情報を取得する位置情報取得手段と、位置情報に基づいて配信対象の携帯端末を複数の地理的な位置グループに分類する位置グループ分類手段と、所属する位置グループ内の携帯端末へのデータ配信が分散するように配信対象の携帯端末を複数の配信グループに分類する配信グループ構成手段と、配信すべき配信データを管理する配信データ管理手段と、予め定められた配信スケジュールに基づいて配信データ管理手段から取得したデータを配信グループ毎に一斉に配信するための制御を行う配信スケジュール管理手段と、配信データ管理手段から取得した配信データを該当する配信対象の携帯端末に配信するデータ配信手段とを有している。
【００１６】
これによって、本発明のデータ配信システムでは、データの配信対象の携帯端末の位置情報を用いて、特定地域においてデータ配信対象の携帯端末が集中しないように配信グループを形成することで、携帯端末へのデータ配信時に携帯端末が使用する無線ネットワークへの負荷集中を回避することが可能となる。
【発明の効果】
【００１７】
本発明は、以下に述べるような構成及び動作とすることによって、携帯端末へのデータ配信時に携帯端末が使用する無線ネットワークへの負荷集中を回避することができるという効果が得られる。
【発明を実施するための最良の形態】
【００１８】
次に、本発明の実施例について図面を参照して説明する。図１は本発明の一実施例によるデータ配信システムの構成を示すブロック図である。図１において、本発明の一実施例によるデータ配信システムは配信サーバ１と、加入者情報管理サーバ２と、位置情報管理サーバ３と、交換局４−１〜４−４と、基地局５−１〜５−１１と、携帯端末ａ〜ｑとから構成されている。
【００１９】
尚、携帯端末ａ〜ｑとしては携帯電話機やＰＤＡ（Ｐｅｒｓｏｎａｌ  Ｄｉｇｉｔａｌ  Ａｓｓｉｓｔａｎｔ）等が考えられるが、基地局５−１〜５−１１との間で１対１の無線通信にてデータ配信が可能であれば、これらに限定されるものではない。
【００２０】
配信サーバ１と、位置情報管理サーバ３と、交換局４−１〜４−４とはそれぞれインタネット等の通信網１００に接続されており、交換局４−１〜４−４と基地局５−１〜５−１１と携帯端末ａ〜ｑとは無線ネットワーク（移動通信システム）を構成している。
【００２１】
加入者情報管理サーバ２は加入者情報として携帯端末ａ〜ｑの情報（例えば、携帯端末ａ〜ｑの電話番号、加入しているデータ配信等のサービスの種別、支払い方法等）を管理しており、それらの情報を要求に応じて配信サーバ１に供給する。
【００２２】
位置情報管理サーバ３は携帯端末ａ〜ｑ各々の位置情報を管理しており、この位置情報の管理には予め携帯端末ａ〜ｑから常駐場所の情報が登録されているデータベース、ＨＬＲ（Ｈｏｍｅ  ｌｏｃａｔｉｏｎ  Ｒｅｇｉｓｔｅｒ）、ＧＰＳ（Ｇｌｏｂａｌ  Ｐｏｓｉｔｉｏｎｉｎｇ  Ｓｙｓｔｅｍ）等が考えられる。
【００２３】
配信サーバ１は加入者情報管理サーバ２から渡された加入者情報に基づいて位置情報管理サーバ３から携帯端末ａ〜ｑ各々の位置情報を収集し、その位置情報を基にデータ配信のスケジュールを作成し、予め設定された時間帯（例えば、移動通信システムの通信量が少ない深夜の時間帯等）に携帯端末ａ〜ｑ各々へのデータ配信を行う。
【００２４】
交換局４−１〜４−４は移動通信網１００を通して配信サーバ１から配信されるデータを基地局５−１〜５−１１を通して携帯端末ａ〜ｑ各々へ配信する。基地局５−１〜５−１１は携帯端末ａ〜ｑ各々と１対１の無線通信（コネクション）にて配信サーバ１からのデータを配信する。
【００２５】
図２は図１の配信サーバ１の構成を示すブロック図である。図１において、配信サーバ１は携帯端末ａ〜ｑへのデータ配信のスケジュールを作成して管理するスケジュール装置１０と、携帯端末ａ〜ｑへの配信データ１０９を管理する配信データ管理手段１７と、携帯端末ａ〜ｑへの配信データ出力１１０を行うデータ配信手段１８とから構成されている。
【００２６】
スケジュール装置１０は配信対象管理手段１１と、位置情報取得手段１２と、位置グループ分類手段１３と、局容量管理手段１４と、配信グループ形成手段１５と、配信スケジュール管理手段１６とから構成されている。
【００２７】
配信対象管理手段１１は配信対象の携帯端末ａ〜ｑの情報を管理し、位置情報取得手段１２は配信対象管理手段１１で管理される携帯端末ａ〜ｑの情報１０１に基づいて位置情報要求コマンド１０２を位置情報管理サーバ３に送信し、それら携帯端末ａ〜ｑの位置情報１０３を位置情報管理サーバ３から取得する。位置グループ分類手段１３は位置情報取得手段１２で作成された位置情報付き配信対象情報１０４を基に携帯端末ａ〜ｑを位置グループ（交換局４−１〜４−４配下の基地局５−１〜５−１１で管理される携帯端末ａ〜ｑのグループ）に分類する。
【００２８】
局容量管理手段１４は交換局４−１〜４−４各々に予め設定されているデータ配信の許容量、あるいは基地局５−１〜５−１１各々に予め設定されているデータ配信の許容量を局配信性能データとして管理する。配信グループ形成手段１５は位置グループ分類手段１３で分類された位置グループの情報１０５と局容量管理手段１４で管理される局配信性能データ１０６とから配信グループ（例えば、各交換局４−１〜４−４や各基地局５−１〜５−１１から予め設定された数の携帯端末を抽出して形成される配信対象のグループ）を形成する。
【００２９】
配信スケジュール管理手段１６は予め設定された時間帯において、配信グループ形成手段１５で形成された配信グループの情報１０７に基づいて、配信グループ毎に予め設定された配信間隔でデータ配信が行われるように、データ配信のスケジュールに沿って配信データ管理手段１７で管理される配信データ１０８を配信を行うように、データ配信手段１８への配信データ１０９の送出を管理する。
【００３０】
図３は図２のスケジュール装置１０の構成例を示すブロック図である。図３において、スケジュール装置１０はＣＰＵ（中央処理装置）２１と、ＣＰＵ２１が実行する制御プログラム２２ａを記憶するメインメモリ２２と、ＣＰＵ２１が制御プログラム２２ａの実行時に使用する記憶装置２３と、配信サーバ１内の各部、加入者情報管理サーバ２や通信網１００との間のデータ入出力を行うための外部ＩＦ（インタフェース）部２４とから構成されている。
【００３１】
記憶装置２３は配信対象管理手段１１が管理する配信対象情報を保持する配信対象情報保持部２３１と、位置情報取得手段１２が取得した位置情報を保持する位置情報保持部２３２と、位置グループ分類手段１３で分類された位置グループの情報を保持する位置グループ保持部２３３と、局容量管理手段１４が管理する局容量を保持する局容量情報保持部２３４と、配信グループ形成手段１５で形成された配信グループの情報を保持する配信グループ保持部２３５とを備えている。
【００３２】
尚、上述したスケジュール装置３の各機能（配信対象管理手段１１、位置情報取得手段１２、位置グループ分類手段１３、局容量管理手段１４、配信グループ形成手段１５、配信スケジュール管理手段１６）はＣＰＵ２１が記憶装置２３の記憶内容を用いて制御プログラム２２ａを実行することで実現される。
【００３３】
図４は図２の位置グループ分類手段１３による位置グループの分類処理を示す図であり、図５は図２のスケジュール装置１０における位置グループの分類処理を示すフローチャートである。図６は図２の配信グループ形成手段１５による配信グループの形成処理を示す図であり、図７は図２のスケジュール装置１０における配信グループの形成処理を示すフローチャートであり、図８は図２の配信スケジュール管理手段１６による配信スケジュールの管理処理を示すフローチャートである。これら図１〜図８を参照して本発明の一実施例による配信サーバ１によるデータ配信の処理について説明する。尚、図５と図７と図８とに示す処理はＣＰＵ２１が記憶装置２３の情報を用いて制御プログラム２２ａを実行することで実現される。
【００３４】
配信サーバ１では予め設定された時間帯となった時に携帯端末ａ〜ｑにデータ配信を行うためにスケジュール装置１０にてデータ配信のためのスケジュールを作成し、そのスケジュールに沿ってデータ配信を管理する。その際、スケジュール装置１０では各形態端末ａ〜ｑを位置グループに分類し、その位置グループの情報を基に配信グループを形成し、この配信グループ毎にデータ配信を行う。以下、これらの処理について説明する。
【００３５】
但し、本実施例では、各形態端末ａ〜ｑがゲーム等のプログラム、楽曲データ、画像データ等の配信を予め予約しているものとし、交換局４−１〜４−４や基地局５−１〜５−１１では通常の音声通話の容量を確保するために最大容量の一部をデータ配信に使用するものとし、その使用量が許容量として予め設定されているものとする。
【００３６】
まず、配信サーバ１のスケジュール装置１０では、位置情報取得手段１２が配信対象管理手段１１からの配信対象の情報を取得し（図５ステップＳ１）、その配信対象の情報に基づいて配信対象の携帯端末ａ〜ｑの位置情報を位置情報管理サーバ３から取得する（図５ステップＳ２）。
【００３７】
位置情報取得手段１２は位置情報管理サーバ３から取得した位置情報があれば（図５ステップＳ３）、その位置情報を基に位置情報付き配信対象情報を作成する（図５ステップＳ４）。
【００３８】
一方、位置情報取得手段１２は位置情報管理サーバ３から取得した位置情報がなければ（図５ステップＳ３）、その配信対象の携帯端末を配信対象から外す（図５ステップＳ５）。尚、位置情報がない場合とは、携帯端末の電源がＯＦＦになっている場合、携帯端末が基地局の管理圏外（基地局が管理するセルの外）である場合等が考えられるので、その場合にはデータ配信の対象から外す。
【００３９】
ここで、位置情報取得手段１２が作成した位置情報付き配信対象情報は図４に示すデータＡであり、各携帯端末ａ〜ｑがどの交換局４−１〜４−４、基地局５−１〜５−１１に属するかを示している。但し、上記のＧＰＳの情報を取得する場合には、そのＧＰＳの情報からどの交換局４−１〜４−４、基地局５−１〜５−１１に属するかの情報への変換が行われる。
【００４０】
図４において、データＡでは「携帯端末ａ」が「交換局４−１配下の基地局５−１」に属し、「携帯端末ｂ」が「交換局４−１配下の基地局５−２」に属し、「携帯端末ｃ」が「交換局４−１配下の基地局５−３」に属し、「携帯端末ｄ」が「交換局４−１配下の基地局５−３」に属し、「携帯端末ｅ」が「交換局４−２配下の基地局５−４」に属し、「携帯端末ｆ」が「交換局４−２配下の基地局５−５」に属し、「携帯端末ｇ」が「交換局４−２配下の基地局５−５」に属し、「携帯端末ｈ」が「交換局４−２配下の基地局５−６」に属し、「携帯端末ｉ」が「交換局４−２配下の基地局５−７」に属し、「携帯端末ｊ」が「交換局４−３配下の基地局５−８」に属し、「携帯端末ｋ」が「交換局４−３配下の基地局５−８」に属し、「携帯端末ｌが交換局４−３配下の基地局５−８」に属し、「携帯端末ｍ」が「交換局４−３配下の基地局５−９」に属し、「携帯端末ｎ」が「交換局４−３配下の基地局５−９」に属し、「携帯端末ｏ」が「交換局４−３配下の基地局５−１０」に属し、「携帯端末ｐ」が「交換局４−３配下の基地局５−１０」に属し、「携帯端末ｑ」が「交換局４−４配下の基地局５−１１」に属することを示している。
【００４１】
位置情報取得手段１２は全ての配信対象の携帯端末ａ〜ｑの位置情報を取得するまで、上記の処理を続行し（図５ステップＳ２〜Ｓ６）、全ての配信対象の携帯端末ａ〜ｑの位置情報を取得すると、作成した位置情報付き配信対象情報（データＡ）を位置グループ分類手段１３に渡す。位置グループ分類手段１３は位置情報付き配信対象情報（データＡ）を基に、各携帯端末ａ〜ｑの位置情報を交換局４−１〜４−４毎に分類してそれぞれ位置グループとし（図５ステップＳ７）、分類結果から位置グループ情報を作成する（図５ステップＳ８）。位置グループ分類手段１３は作成した位置グループ情報を配信グループ形成手段１５に渡す。
【００４２】
ここで、位置情報取得手段１２が作成した位置グループ情報は図４に示すデータＢであり、各携帯端末ａ〜ｑを各交換局４−１〜４−４に対応する位置グループ＃１〜＃４に振分けている。
【００４３】
図４において、データＢでは交換局４−１に対応する位置グループ＃１に「携帯端末ａ（基地局５−１）」、「携帯端末ｂ（基地局５−２）」、「携帯端末ｃ（基地局５−３）」、「携帯端末ｄ（基地局５−３）」がそれぞれ属し、交換局４−２に対応する位置グループ＃２に「携帯端末ｅ（基地局５−４）」、「携帯端末ｆ（基地局５−５）」、「携帯端末ｇ（基地局５−５）」、「携帯端末ｈ（基地局５−６）」、「携帯端末ｉ（基地局５−７）」がそれぞれ属し、交換局４−３に対応する位置グループ＃３に「携帯端末ｊ（基地局５−８）」が、「携帯端末ｋ（基地局５−８）」、「携帯端末ｌ（基地局５−８）」、「携帯端末ｍ（基地局５−９）」、「携帯端末ｎ（基地局５−９）」、「携帯端末ｏ（基地局５−１０）」、「携帯端末ｐ（基地局５−１０）」がそれぞれ属し、交換局４−４に対応する位置グループ＃４に「携帯端末ｑ（基地局５−１１）」が属していることを示している。
【００４４】
配信グループ形成手段１５は局容量管理手段１４から局配信性能データを取得し（図７ステップＳ１１）、位置グループ分類手段１３からの位置グループ情報と局容量管理手段１４からの局配信性能データとに基づいて、位置グループ情報内の携帯端末ａ〜ｑを各配信グループ＃１〜＃４に振分ける。
【００４５】
この場合、配信グループ形成手段１５は位置グループ情報から各位置グループ＃１〜＃４毎に、基地局５−１〜５−１１毎の携帯端末ａ〜ｑの情報を取得し（図７ステップＳ１２）、局配信性能チェックを行う（図７ステップＳ１３）。ここで、局配信性能データは、「交換局４−１〜４−４は一度に３個まで同時に配信可能」、「基地局５−１〜５−１１は１個まで同時に配信可能」というようなデータである。
【００４６】
配信グループ形成手段１５は携帯端末ａ〜ｑの情報の取得を行っても局配信性能に余裕があれば（図７ステップＳ１４）、上記の処理を繰り返して携帯端末ａ〜ｑの情報の取得を行う。一方、配信グループ形成手段１５は局配信性能に余裕がなければ（図７ステップＳ１４）、それらの携帯端末ａ〜ｑの情報を配信グループ＃１〜＃３に割り当てる（図７ステップＳ１５）。
【００４７】
配信グループ形成手段１５は上記の処理を位置グループ情報がなくなるまで繰り返し行い（図７ステップＳ１２〜Ｓ１６）、位置グループ情報がなくなると、配信グループ情報を作成する（図７ステップＳ１５）。配信グループ形成手段１５は作成した配信グループ情報を配信スケジュール管理手段１６に送る。
【００４８】
ここで、配信グループ形成手段１５が作成した配信グループ情報は図６に示すデータＣであり、各携帯端末ａ〜ｑを上述した配信グループ＃１〜＃３に振分けている。図５において、データＣでは一番目にデータ配信を行う配信グループ＃１に「携帯端末ａ」、「携帯端末ｂ」、「携帯端末ｃ」、「携帯端末ｅ」、「携帯端末ｆ」、「携帯端末ｈ」、「携帯端末ｊ」、「携帯端末ｍ」、「携帯端末ｏ」、「携帯端末ｑ」が割り当てられており、二番目に配信を行配信グループ＃２に「携帯端末ｄ」、「携帯端末ｇ」、「携帯端末ｉ」、「携帯端末ｋ」、「携帯端末ｎ」、「携帯端末ｏ」、「携帯端末ｐ」が割り当てられており、三番目に配信を行配信グループ＃３に「携帯端末ｌ」が割り当てられている。
【００４９】
配信スケジュール管理手段１６は配信グループ形成手段１５から送られてきた配信グループ情報から配信グループを取得するとともに、配信間隔を取得する配信データ管理手段１７から取得し（図８ステップＳ２１）、配信グループ内の各携帯端末ａ〜ｑへの配信データを配信データ管理手段１７から取得する（図８ステップＳ２２）。
【００５０】
配信スケジュール管理手段１６は配信データ管理手段１７から取得した配信データの合計サイズを計算し（図８ステップＳ２３）、その合計サイズが予め設定された許容範囲内であれば（図８ステップＳ２４）、配信グループ内の各携帯端末ａ〜ｑへのデータの配信要求をデータ配信手段１８に送る（図８ステップＳ２５）。
【００５１】
これに対して、配信スケジュール管理手段１６はその合計サイズが許容範囲内でなければ（図８ステップＳ２４）、配信グループを予め設定された配信許容量で分割し、最初の配信グループ（分割後の配信許容量の配信グループ）内の各携帯端末ａ〜ｑへのデータの配信要求をデータ配信手段１８に送る（図８ステップＳ２６）。
【００５２】
その後に、配信スケジュール管理手段１６は配信間隔待ち状態となり（図８ステップＳ２７）、その配信間隔だけ待ってから上記のステップＳ２３の処理に戻る。つまり、配信スケジュール管理手段１６は分割した残りの配信グループ内の各携帯端末ａ〜ｑへの配信データの合計サイズを計算し（図８ステップＳ２３）、その合計サイズが予め設定された許容範囲内かを判定する（図８ステップＳ２４）。
【００５３】
一方、配信スケジュール管理手段１６は配信グループ内の各携帯端末ａ〜ｑへのデータの配信要求をデータ配信手段１８に送った後、次の配信グループがあれば（図８ステップＳ２８）、配信間隔待ち状態となって（図８ステップＳ２９）、その配信間隔だけ待ってから上記のステップＳ２１の処理に戻る。また、配信スケジュール管理手段１６は次の配信グループがなければ（図８ステップＳ２８）、処理の終了または再送要求となる（図８ステップＳ３０）。
【００５４】
このように、本実施例では、データ配信対象の携帯端末ａ〜ｑの位置情報を用いて、一つの配信グループに、特定地域に存在する携帯端末ａ〜ｑが集中しないように配信グループを形成することで、携帯端末ａ〜ｑへのデータ配信時に、無線ネットワーク（移動通信システム）への負荷集中を回避することができる。
【図面の簡単な説明】
【００５５】
【図１】本発明の一実施例によるデータ配信システムの構成を示すブロック図である。
【図２】図１の配信サーバの構成を示すブロック図である。
【図３】図２のスケジュール装置の構成例を示すブロック図である。
【図４】図２の位置グループ分類手段による位置グループの分類処理を示す図である。
【図５】図２のスケジュール装置における位置グループの分類処理を示すフローチャートである。
【図６】図２の配信グループ形成手段による配信グループの形成処理を示す図である。
【図７】図２のスケジュール装置における配信グループの形成処理を示すフローチャートである。
【図８】図２の配信スケジュール管理手段による配信スケジュールの管理処理を示すフローチャートである。
【符号の説明】
【００５６】
１  配信サーバ
２  加入者情報管理サーバ
３  位置情報管理サーバ
４−１〜４−４  交換局
５−１〜５−１１  基地局
１０  スケジュール装置
１１  配信対象管理手段
１２  位置情報取得手段
１３  位置グループ分類手段
１４  局容量管理手段
１５  配信グループ形成手段
１６  配信スケジュール管理手段
１７  配信データ管理手段
１８  データ配信手段
２１  ＣＰＵ
２２  メインメモリ
２２ａ  制御プログラム
２３  記憶装置
２４  外部インタフェース部
１００  通信網
２１０  内部バス
２３１  配信対象情報保持部
２３２  位置情報保持部
２３３  位置グループ保持部
２３４  局容量情報保持部
２３５  配信グループ保持部
ａ〜ｑ  携帯端末
【図１】
2006246090.tif 000003
【図２】
2006246090.tif 000004
【図３】
2006246090.tif 000005
【図４】
2006246090.tif 000006
【図５】
2006246090.tif 000007
【図６】
2006246090.tif 000008
【図７】
2006246090.tif 000009
【図８】
2006246090.tif 000010